(57)【要約】【課題】還流ガスを大量に導入する際でも、確実にノッキングを回避できるようにする。【解決手段】吸入空気を燃焼室に導く吸気ポート１ａと、吸気ポート１ａの上流側の吸気通路１に設けられ吸入空気中に還流ガスを導入する排気ガス再循環装置と、燃焼室からの排気を外部に排出する排気ポート２ａと、燃焼室の頂部に設けられた点火プラグ１３と、燃焼室内に臨み点火プラグ１３の電極１４に対して噴霧方位が指向するように配置された噴射弁２７と、燃焼室内に吸気ポート１ａからの還流ガスを含む吸入空気Ａが充満した状態で、噴射弁２７から新気及び燃料からなる混合気Ｂの噴射を制御する制御手段とによって内燃機関を構成したのである。還流ガスを含まない混合気Ｂが点火プラグ１３に向かって噴射されるので、燃焼室内に充満する還流ガスを含む吸入空気Ａを、点火プラグ１３周囲から円滑に排除して着火性を高め、確実にノッキングを回避することができる。【選択図】図１
2015001166.tif 000002
【特許請求の範囲】
【請求項１】
吸入空気を燃焼室に導く吸気ポートと、
前記吸気ポートの上流側の吸気通路に設けられ前記吸入空気中に還流ガスを導入する排気ガス再循環装置と、
前記燃焼室からの排気を外部に排出する排気ポートと、
前記燃焼室の頂部に設けられた点火プラグと、
前記燃焼室内に臨み前記点火プラグの電極に対して噴霧方位が指向するように配置された噴射弁と、
前記燃焼室内に前記吸気ポートからの還流ガスを含む吸入空気が充満した状態で、前記噴射弁から新気及び燃料からなる混合気の噴射を制御する制御手段を備えた内燃機関。
【請求項２】
前記制御手段は、前記噴射弁による前記混合気の噴射時期、噴射圧、噴射期間のいずれか一つ、又は複数を制御することを特徴とする請求項１に記載の内燃機関。
【請求項３】
前記制御手段は、負荷の大きさに応じて、前記噴射弁による前記混合気の噴射を制御することを特徴とする請求項１又は２に記載の内燃機関。
【請求項４】
前記制御手段は、負荷が高いほど相対的に長い時間に亘って前記噴射弁による前記混合気の噴射を行って前記吸入空気を前記点火プラグ周囲から緩やかに押し出し、負荷が低いほど相対的に短い時間内に前記噴射弁から燃料の噴射を行って前記吸入空気中に前記混合気を割り込ませるように充填して層状化することを特徴とする請求項３に記載の内燃機関。
【請求項５】
前記噴射弁は、前記燃焼室のシリンダ軸線回りの方位のうち、前記燃焼室内で高負荷時に相対的にノッキングを生じにくい側に配置されることを特徴とする請求項１から４のいずれかに記載の内燃機関。
【請求項６】
前記点火プラグは、中心電極と前記中心電極に対向する側方電極とを備え、前記側方電極は、前記噴射弁側に位置することを特徴とする請求項１から５のいずれかに記載の内燃機関。
【請求項７】
前記噴射弁は、過給器の余剰圧力を導入した蓄圧タンクの圧力によって、前記混合気を噴射することを特徴とする請求項１から６のいずれかに記載の内燃機関。
【発明の詳細な説明】
【技術分野】
【０００１】
この発明は、排気ガス再循環装置を備えた内燃機関に関する。
【背景技術】
【０００２】
内燃機関から排出される排気ガスを浄化するために、排気ガスの一部を燃焼室に還流する排気ガス再循環装置が用いられる。
【０００３】
排気ガス再循環装置は、燃焼室へ導入される吸気に排気ガス（以下、「還流ガス」と称する）を還流することで、燃焼室内の燃焼温度を低下させ、排気ガスに含まれる窒素酸化物（ＮＯｘ）を低減する。また、還流ガスの導入は、燃焼温度の低下やポンピングロスの低減等により、燃費の向上にも寄与している。
【０００４】
しかし、燃費改善のために還流ガスが大量に導入されると、燃焼室内での火炎の伝播が不安定となり、振動の発生や燃費の悪化、あるいは、失火に至る場合がある。また、大量の還流ガスの導入は、排気ガス中の炭化水素（ＨＣ）の増加につながるという問題もある。
【０００５】
そこで、例えば、特許文献１には、ピストンが下死点付近に下降した際に開放され、燃焼室内の混合気にスワール流、タンブル流を生じさせるスワール弁、タンブル弁を設けることによって、混合気に乱れを生じさせ、火炎の伝播を促進し、燃焼の改善を行う技術が開示されている。
【０００６】
また、特許文献２には、燃焼室内に還流ガスを導入した後、新気と燃料との混合気を、シリンダヘッド側の燃焼室の頂部からピストンヘッド側に向かって噴射する技術が開示されている。これにより、燃焼室内において、シリンダ軸線に近い点火プラグ周囲に、還流ガスを含まない着火容易な混合気を形成し、燃焼を促進させている。
【０００７】
特許文献３は、シリンダ軸線を中心として外径寄りの領域に還流ガスを含む空気を、中央寄りの領域に還流ガスを含まない空気（新気）を分布させ、シリンダヘッド側の燃焼室の頂部からピストンヘッド側に向かって燃料を噴射する技術を開示している。
【先行技術文献】
【特許文献】
【０００８】
【特許文献１】特開２００３−２１４１６５号公報
【特許文献２】特開２００４−１５０２８４号公報
【特許文献３】特開２００６−３４２７０７号公報
【発明の概要】
【発明が解決しようとする課題】
【０００９】
上記特許文献１によれば、内燃機関の高負荷時においては、スワール弁、タンブル弁が吸気抵抗を生じさせるので、体積効率が低下し、出力が低下する場合がある。
【００１０】
上記特許文献２，３によれば、シリンダヘッド側からピストンヘッド側へ、すなわち、点火プラグから離れる方向に向かって燃料が噴射されている。このため、燃料や混合気は、時間の経過とともに点火プラグから遠ざかっていく。したがって、特に、燃費改善のために大量の還流ガスが導入されている場合には、燃料への着火が円滑でない問題がある。
【００１１】
また、燃焼室内における燃焼状態は、シリンダ軸線の中心回りに常に一様ではない。例えば、高負荷の状態では、吸気側が排気側に比較してノッキングが発生しやすい場合がある。また、内燃機関の仕様によっては、あるいは、内燃機関の負荷や回転数次第では、その逆、すなわち、排気側が吸気側に比較してノッキングが発生しやすい場合も想定される。
【００１２】
このため、上記特許文献２，３のように、単に、シリンダ軸線を中心とする中心寄りの領域と外径寄りの領域とで還流ガスの有無を分けるだけでは、特に、大量の還流ガスが導入されている場合、ノッキングを回避することができない問題がある。
【００１３】
そこで、この発明の課題は、還流ガスを大量に導入する際でも、確実にノッキングを回避できるようにすることである。
【課題を解決するための手段】
【００１４】
上記の課題を解決するために、この発明の内燃機関は、吸入空気を燃焼室に導く吸気ポートと、前記吸気ポートの上流側の吸気通路に設けられ前記吸入空気中に還流ガスを導入する排気ガス再循環装置と、前記燃焼室からの排気を外部に排出する排気ポートと、前記燃焼室の頂部に設けられた点火プラグと、前記燃焼室内に臨み前記点火プラグの電極に対して噴霧方位が指向するように配置された噴射弁と、前記燃焼室内に前記吸気ポートからの還流ガスを含む吸入空気が充満した状態で、前記噴射弁から新気及び燃料からなる混合気の噴射を制御する制御手段を備えた構成を採用したのである。
【００１５】
ここで、点火プラグの電極に対して噴霧方位が指向するとは、燃焼室内に臨む噴射弁の噴霧方位の中に、点火プラグの電極が含まれていることを意味する。特に、点火プラグの電極に対して、噴射弁の噴霧中心線が指向するように配置することが望ましい。
【００１６】
ここで、前記制御手段は、噴射弁による新気及び燃料からなる混合気の噴射時期、噴射圧、噴射期間を制御することができる。このとき、噴射時期、噴射圧、噴射期間の三つの要素の中から選択される一つ、又は二つを制御してもよいし、三つの要素全てを制御してもよい。
【００１７】
また、燃焼室内における燃料の燃焼は、内燃機関の運転状態が高負荷であるか、あるいは、低負荷であるかによって大きく特性が異なる。
そこで、噴射弁からの混合気の噴射は、内燃機関の負荷の大きさに基づいて制御することが有効である。前記制御手段は、内燃機関の負荷の値に基づいて、噴射弁による新気及び燃料からなる混合気の噴射時期、噴射圧、噴射期間の三つの要素の中から選択される一つ、又は二つ、あるいは、三つの要素全てを制御する。
【００１８】
例えば、高負荷の場合には、比較的長い時間に亘って噴射弁から燃料の噴射を行い、還流ガスを含む酸素が少ない吸入空気を、点火プラグ周囲から緩やかに押し出す構成としてもよい。すなわち、負荷が高いほど相対的長い時間に亘って噴射弁から燃料を噴射する。また、低負荷の場合には、比較的短い時間内に噴射弁から燃料の噴射を行い、還流ガスを含む酸素が少ない吸入空気中に、還流ガスを含まない混合気（酸素を多く含む混合気）を割り込ませるように充填し、層状化する構成としてもよい。すなわち、負荷が低いほど相対的に短い時間内に噴射弁から燃料を噴射する。特に、低負荷の場合は、噴射弁から燃料の噴射を点火直前、噴射圧は高く、噴射時間を短くする等することで、円周状に（同心円状に）層状化し、燃焼安定性を確保することが望ましい。
【００１９】
また、噴射弁は、燃焼室のシリンダ軸線回りの方位のうち、燃焼室内で高負荷時に相対的にノッキングを生じにくい側に配置されることが望ましい。一般的には、高負荷時にもノッキングを生じにくい側は排気ポート側であるので、噴射弁は排気ポート側に配置することが望ましい。ただし、内燃機関の仕様や運転状況によっては、排気ポート側が吸気ポート側に比較してノッキングしやすい場合も想定されるので、その場合、噴射弁は、吸気ポート側にすることが望ましい。
【００２０】
また、前記点火プラグが、中心電極と前記中心電極に対向する側方電極とを備えている場合に、前記側方電極を前記噴射弁側に位置させることが望ましい。
【００２１】
前記噴射弁は、内燃機関が備える過給器の余剰圧力を導入した蓄圧タンクの圧力によって、前記混合気を噴射する構成とすることが望ましい。
【発明の効果】
【００２２】
この発明によれば、燃焼室内に臨む噴射弁を、点火プラグの電極に指向するように配置したので、還流ガスを含まない混合気は点火プラグに向かって近づく方向に噴射される。このため、燃焼室内に充満する還流ガスを含む吸入空気は点火プラグ周囲から円滑に排除され、点火プラグ付近での混合気への着火が確実になる。これにより、還流ガスを大量に導入する際でも着火を確実にでき、ノッキングを回避することができる。
【図面の簡単な説明】
【００２３】
【図１】この発明の一実施形態を示し、（ａ）は低負荷時の燃料噴射状態を示す要部拡大図、（ｂ）は高負荷時の燃料噴射状態を示す要部拡大図である。
【図２】図１の変形例を示し、（ａ）は低負荷時の燃料噴射状態を示す要部拡大図、（ｂ）は高負荷時の燃料噴射状態を示す要部拡大図である。
【図３】この発明の内燃機関の全体構成を示す模式図
【図４】（ａ）は負荷状態と燃料噴射の時期との関係を示すマップ図、（ｂ）は負荷状態と燃料噴射圧との関係を示すマップ図、（ｃ）は負荷状態と燃料噴射期間との関係を示すマップ図である。
【図５】（ａ）は点火プラグの全体図、（ｂ）は（ａ）のＢ−Ｂ矢視図、（ｃ）は（ｂ）の変形例である。
【発明を実施するための形態】
【００２４】
以下、この発明の一実施形態を図面に基づいて説明する。この実施形態の内燃機関は自動車用エンジンであり、図１（ａ）にエンジンＥの要部を示す。
【００２５】
エンジンＥには、ピストン１２を収容した気筒内に、吸入空気を送り込む吸気ポート１ａ、排気を送り出す排気ポート２ａ、シリンダヘッド側からシリンダの軸線に沿って下向きに配置された点火プラグ１３等が備えられている。吸気ポート１ａ及び排気ポート２ａは、それぞれバルブによって開閉される。吸気ポート１ａ内には、吸気通路１内の吸入空気に燃料を噴射する燃料噴射弁として、インジェクタ１１が備えられている。
【００２６】
図３に示すように、吸気ポート１ａに通じる吸気通路１には、上流側から下流側に向かって、エアクリーナ８、過給器（ターボチャージャ）７、吸気通路１を流れる吸気を冷却するインタークーラ６、通路断面積を変化させて吸気の流量を制御するスロットルバルブ５等が順に設けられている。
【００２７】
排気ポート２ａから引き出された排気通路２は、図示しない触媒、消音器等を経て大気へ開放されている。また、排気の一部は、過給器用排気通路９を経由して過給器７に導かれている。過給器７では、排気ガスを利用してタービンを高速回転させ、その回転力で圧縮機を駆動することにより、圧縮した空気を吸気通路１に送り込んでいる。
【００２８】
吸気通路１の過給器７の上流側は、排気ガス再循環装置３を構成する排気還流通路３ａによって、排気通路２と連通している。排気還流通路３ａを介して、エンジンＥから排出される排気ガスの一部が、還流ガスとして吸気通路１のインタークーラ６の上流側に還流する。また、排気還流通路３には排気還流弁３ｂが設けられ、排気還流弁３ｂの開閉と、吸気通路１内に設けたスロットルバルブ等の開閉に伴う吸気通路１内の圧力状態に応じて、還流ガスを吸気通路１内の吸気に合流させている。
【００２９】
過給器７によって加圧された吸気通路１内の吸気は、インタークーラ６を通じて吸気ポート１ａに送られる。吸気ポート１ａ内のインジェクタ１１には、燃料タンク４から燃料管１０を通じて燃料が供給されており、インジェクタ１１から噴射される燃料と、吸気ポート１ａに供給された吸気とによって、吸入空気としての混合気が生成される。
【００３０】
ここで、吸気通路１内において過剰な圧力が発生している場合は、吸気の一部はブローオフバルブ２１、圧力調整管２０を通じて蓄圧タンク２２に供給される。これにより、吸気の圧力は適正な範囲に制御される。また、蓄圧タンク２２は、供給された加圧空気を所定の圧力を上限として貯留することができる。蓄圧タンク２２内が所定の圧力を越えた場合は、加圧空気を大気開放することなく、別途設けられる還流通路で余剰の加圧空気を吸気通路１に還流する。
【００３１】
燃焼室内には、図１（ａ）に示す正面視において、点火プラグ１３の電極１４に対して、噴霧中心線ｐが指向するように配置された噴射弁２７が設けられている。
【００３２】
図５（ａ）は点火プラグ１３の全体図を示す。図５（ｂ）は点火プラグ１３の電極１４と噴射弁２７との位置関係を平面的に表したものである。通常、点火プラグ１３の中心電極１４ｃは、カソードとして電子を放出する正極として設計されている。側方電極（側極）１４ａは接地電極であり、シェルの先端側に設けられるネジ部（シリンダ側のプラグ穴に対応するネジ部）の先端に固定されている。側方電極１４ａは、点火プラグ１３の軸心から偏心した位置に立ち上がっており、Ｌ字状に約９０度屈曲して、先端部１４ｂが中心電極１４ｃに所定のギャップをもって対向している。
【００３３】
噴射弁２７は、図５（ｂ）に示す平面視においても、点火プラグ１３の電極１４に対して、噴霧中心線ｐが指向するように配置されている。また、側方電極１４ａは、点火プラグ１３の軸心に対して噴射弁２７側寄りの配置になっている。
【００３４】
この実施形態では、噴射弁２７は、燃焼室のシリンダ軸線回りの方位のうち、燃焼室内で高負荷時に相対的にノッキングを生じにくい側である排気ポート２ａ側に配置されている。
【００３５】
噴射弁２７からの燃料噴射は、図１に示すように、加圧空気供給管２６を通じて供給される蓄圧タンク２２内の加圧空気を用いて行っている。加圧空気の噴射弁２７への供給圧は、調整器２３で調整可能になっている。
【００３６】
図１の実施形態では、噴射弁２７を気液混合ノズルとし、加圧空気が通路を通過する際の負圧を利用して、燃料タンク４から引き出された第二の燃料管２５内の燃料を気化し、その加圧空気と燃料との混合気Ｂを燃焼室内に噴射している。
また、図２の変形例では、蓄圧タンク２２内に蓄圧タンク用インジェクタ２４を配置し、蓄圧タンク２２内に混合気Ｂを生成している。蓄圧タンク用インジェクタ２４には、燃料タンク４から引き出された第二の燃料管２５内の燃料が供給される。蓄圧タンク２２内の加圧された混合気Ｂは、噴射弁２７から燃焼室内に噴射される。なお、図３の全体図は、図２の形態に対応したものとなっている。
【００３７】
このエンジンＥの制御装置及び制御方法について説明する。前述の過給器７やスロットルバルブ５、排気還流弁３ｂ、インジェクタ１１、噴射弁２７、調整器２３、蓄圧タンク用インジェクタ２４等は、全て、それぞれケーブル７ａ，５ａ，３ｃ，１１ａ，２７ａ，２３ａ，２４ａを通じて、コンピュータ（Ｅｌｅｃｔｒｏｎｉｃ  Ｃｏｎｔｒｏｌ  Ｕｎｉｔ）に備えられた制御手段３０によって制御される。
【００３８】
また、制御手段３０は、エンジンＥ又はその他の箇所に設けた負荷検出手段２８から、ケーブル２８ａを通じて負荷の値を取得する。負荷の情報は、アクセルペダルに連動するスロットルバルブの開度や、燃料噴射量、内燃機関の回転数、車速等の情報に基づいて、演算で取得することもできる。また、制御手段３０は、クランク角センサ等からの情報に基づいて、エンジンＥの回転数の情報を取得する。
【００３９】
図１（ａ）及び図２（ａ）に、エンジンＥの低負荷時における燃料噴射状態を示す。図では、ピストンは圧縮行程で、燃焼室内は、既に吸気ポート１ａからの還流ガスを含む吸入空気Ａが充満した状態である。制御手段３０は、取得した負荷の情報に基づいて、燃焼室内に吸入空気Ａが充満した状態で、噴射弁２７から新気及び燃料からなる混合気Ｂを点火プラグ１３の電極１４に向かって噴射する。
【００４０】
ここで、図４（ａ）に、制御手段３０の制御の基準となる、エンジンＥの負荷状態と燃料噴射の時期（新気噴射時期）との関係を示す。また、図４（ｂ）に、同じくエンジンＥの負荷状態と燃料噴射圧（新気噴射圧）との関係を示す。図４（ｃ）に、同じくエンジンＥの負荷状態と燃料噴射期間（新気噴射期間）との関係を示す。
【００４１】
図１（ａ）及び図２（ａ）はいずれも低負荷状態であるので、混合気Ｂの噴射時期は、図４（ａ）に示すように、点火時期の直前であることが望ましい。この例では、最も低負荷の状態で、点火前１０度程度となっている。また、混合気Ｂの噴射圧は、図４（ｂ）に示すように、高い方が望ましい。さらに、混合気Ｂの噴射期間（噴射継続時間）は、図４（ｃ）に示すように、短い方が望ましい。
【００４２】
すなわち、低負荷時には、点火時期直前に、高圧且つ短時間で混合気Ｂを噴射することにより、還流ガスを含む吸入空気Ａ中に、還流ガスを含まない混合気Ｂを割り込ませるように充填し、燃焼室内を、点火プラグ１３に近い部分を含む中心寄りの領域と、その外径側の領域又はピストンヘッド側の領域とで層状化することができる。これにより、還流ガスが大量に導入されている状態においても、安定した燃焼が可能である。
【００４３】
図１（ｂ）及び図２（ｂ）に、エンジンＥの高負荷時における燃料噴射状態を示す。ピストンは圧縮行程で、燃焼室内は、既に吸気ポート１ａからの還流ガスを含む吸入空気Ａが充満した状態である。制御手段３０は、取得した負荷の情報に基づいて、燃焼室内に吸入空気Ａが充満した状態で、噴射弁２７から新気及び燃料からなる混合気Ｂを点火プラグ１３の電極１４に向かって噴射する。
【００４４】
図１（ｂ）及び図２（ｂ）はいずれも高負荷状態であるので、混合気Ｂの噴射時期は、図４（ａ）に示すように、点火時期よりも早い段階、少なくとも低負荷時の点火時期よりも早い段階であることが望ましい。この例では、最も高負荷の状態で、点火前５０度程度となっている。また、混合気Ｂの噴射圧は、図４（ｂ）に示すように、低い方が望ましい。さらに、混合気Ｂの噴射期間（噴射継続時間）は、図４（ｃ）に示すように、長い方が望ましい。
【００４５】
すなわち、制御手段３０は、混合気Ｂの噴射時期を、図４（ａ）に示すように、エンジンＥの負荷が低いほど進角させ、エンジンＥの負荷が大きくなるにつれて遅らせることが、燃焼の安定に有効である。また、混合気Ｂの噴射圧は、図４（ｂ）に示すように、エンジンＥの負荷が低いほど高くし、エンジンＥの負荷が大きくなるにつれて低くすることが有効である。さらに、混合気Ｂの噴射期間（噴射継続時間）は、図４（ｃ）に示すように、エンジンＥの負荷が低いほど短く、エンジンＥの負荷が大きくなるにつれて長くすることが有効である。
【００４６】
すなわち、高負荷時には、点火時期前の早い段階から、比較的低い圧で長い時間に亘って混合気Ｂを噴射することにより、還流ガスを含む吸入空気Ａを、点火プラグ１３周囲から緩やかに押し出すことができる。押し出された吸入空気Ａは、点火プラグ１３から遠ざかってエンドガスとなる。エンドガスは、ピストンやシリンダー壁面に押しつけられ自己着火することで衝撃波を発生しやすいが、ここではエンドガスが還流ガスを多く含むため、ノッキングの発生は防止される。ノッキングが生じないことにより、点火時期進角が容易に可能となり、出力の向上が期待できる。さらに、点火時期進角により排気温が低下するため、さらなるリーン化による燃費改善が期待でき、排気系への高温対策も簡素化できる。
【００４７】
低負荷時、高負荷時のいずれの場合においても、燃焼室内に臨む噴射弁２７を、点火プラグ１３の電極１４に指向するように配置したので、還流ガスを含まない混合気Ｂは点火プラグ１３に向かって近づく方向に噴射される。このため、燃焼室内に充満する還流ガスを含む吸入空気Ａは点火プラグ１３周囲から円滑に排除され、点火プラグ１３付近での混合気Ｂへの着火が確実になる。これにより、還流ガスを大量に導入する際でも着火を確実にでき、ノッキングを回避することができる。
【００４８】
また、この実施形態では、噴射弁２７は、高負荷時に相対的にノッキングを生じにくい排気ポート２ａ側に配置されているので、点火プラグ１３に近い中央寄り領域からノッキングが生じやすい吸気ポート１ａ側の空燃比を相対的にリーンに、ノッキングが生じにくいとされる排気ポート２ａ側の空燃比を相対的にリッチにすることができる。この点においても、燃焼が不安定になることを抑制している。
【００４９】
さらに、噴射弁２７は、エンジンＥが備える過給器７の余剰圧力を導入した蓄圧タンク２２の圧力によって、新気及び燃料からなる混合気Ｂを噴射しているので、より高い噴射圧で混合気Ｂを噴射し、還流ガスを大量に導入する際でも着火が確実である。また、過給器７の余剰圧力の有効活用も可能となる。
【００５０】
また、点火プラグ１３の側方電極１４ａが噴射弁２７側に位置しているので、火花は、相対的にノッキングが生じやすい吸気ポート１ａ側に臨んでいる。これにより、還流ガスが大量に導入されている場合でも、着火性が良好となりノッキングを解消できる。また、点火プラグ１３の火花の発生する箇所への燃料の付着が、側方電極１４ａによって遮られることから、噴射弁２７からの燃料噴射が多い場合でも、点火プラグ１３のくすぶり等の発生を抑制することができる。なお、点火プラグ１３の電極１４は、図５（ａ）に示す側方電極１４ａの形態とできるほか、例えば、図５（ｂ）に示すように、側方電極１４ａを中心電極１４ｃを囲む平面視円弧状としてもよい。
【００５１】
この実施形態では、燃焼室内に臨む噴射弁２７は、点火プラグ１３の電極１４に対して噴霧中心線ｐが指向する、すなわち、噴霧中心線ｐ上に点火プラグ１３の電極１４が位置するようにしたが、噴射弁２７の向きは、混合気Ｂの噴霧方位である角度α（図５（ａ）（ｂ）参照）の内側に点火プラグ１３の電極１４が含まれていれば、この発明の効果が期待できる。
【００５２】
また、噴射弁２７からの混合気Ｂの噴射は、エンジンＥの負荷の大きさに基づいて噴射時期、噴射圧、噴射時間の三つの要素を制御したが、例えば、噴射時期、噴射圧、噴射期間の三つの要素の中から選択される一つ、又は二つの要素を制御するようにしてもよい。
【符号の説明】
【００５３】
１  吸気通路
１ａ  吸気ポート
２  排気通路
２ａ  排気ポート
３  排気ガス再循環装置
３ａ  排気還流通路
３ｂ  排気還流弁
４  燃料タンク
５  スロットルバルブ
６  インタークーラ
７  過給器
８  エアクリーナ
９  過給器用排気通路
１０  燃料管
１１  インジェクタ
１２  ピストン
２０  圧力調整管
２１  ブローオフバルブ
２２  蓄圧タンク
２３  調整器
２４  蓄圧タンク用インジェクタ
２５  第二の燃料管
【図１】
2015001166.tif 000003
【図２】
2015001166.tif 000004
【図３】
2015001166.tif 000005
【図４】
2015001166.tif 000006
【図５】
2015001166.tif 000007